(57)【要約】      （修正有）【課題】快速かつ簡単に組み立て及び取り外しができ、リサイクル可能なシステムキャビネットを提供する。【解決手段】組立てられたキャビネットの各パーツの両側に、嵌合空間が形成され、支持強度を有する連接部材が、隣り合うパーツの対向する方位にある嵌合空間に嵌入されることにより、複数のパーツによって、所定された形態のキャビネットが組立てられる。【選択図】図１
0003156370.tif 000002
【実用新案登録請求の範囲】
【請求項１】
キャビネットに応じて、複数のパーツと複数の連接部材を成形して、所定形態のキャビネットが組立てられるシステムキャビネットであって、
組立てられたキャビネットの各パーツの両側に、嵌合空間が形成され、支持強度を有する連接部材が、隣り合うパーツの対向する方位にある嵌合空間に嵌入されることにより、複数のパーツによって、所定された形態のキャビネットが組立てられる、
ことを特徴とするシステムキャビネット。
【請求項２】
組立てられたキャビネットの隣り合う二つのパーツにより形成された嵌合空間に嵌設された連接部材の各周辺に形成された内広外狭の凹槽を有する係合主体に、延伸管部材の結合端である内狭外広の嵌設部が嵌設され、該係合主体の各凹槽の一端において、ストッパーが形成されることにより、延伸管部材の方位が制限され、また、延伸管部材の作用側において、組立てられたパーツの貫通穴に対応して、突出部が形成され、該透過係合主体と延伸管部材からなる連接部材により、組立てられたキャビネットの二つのパーツが、安定的に一体に結合されることを特徴とする請求項１に記載のシステムキャビネット。
【請求項３】
組立てられたキャビネットの隣り合う二つのパーツに形成された嵌合空間に嵌設された連接部材の、作用周辺に内広外狭の凹槽が形成された係合主体が、作用側に突出部が形成された延伸管部材と一体成型されることを特徴とする請求項2に記載のシステムキャビネット。
【考案の詳細な説明】
【技術分野】
【０００１】
本考案は、システムキャビネットに関し、特に、物品を収納するＣＤ枠や収納箪笥、衣服箪笥、デスク箪笥或いは靴箪笥の類のキャビネットを、支持強度が十分にある連接部材である組立て式パーツで、組立てられ、快速的に且つ簡単的に所定形態のキャビネットが形成され、また、簡単に取り外すことができ、そして、リサイクルできるものに関する。
【背景技術】
【０００２】
既存の物品を収納するためのキャビネットは、実用化且つ軽量化の傾向があり、そのため、市販のものは、組立て式が多く、消費者が、組立て式のキャビネットを購入して、ＤＩＹで、組み立て、また、壊れるため、使用しなくなる場合、自分で取り外して廃棄するため、時間が掛かるし、環境に悪影響を与える。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、複数のパーツにより、快速且つ簡単に、所定形態のキャビネットを組み立て、また、使用しないや使用できない場合、簡単に、取り外すことができ、また、リサイクルできるシステムキャビネットを提供する。
【０００５】
本考案の他の目的は、組立て強度が向上されるシステムキャビネットを提供する。
【課題を解決するための手段】
【０００６】
請求項１の考案は、キャビネットに応じて、複数のパーツと複数の連接部材を成形して、所定形態のキャビネットが組立てられるシステムキャビネットであって、組立てられたキャビネットの各パーツの両側に、嵌合空間が形成され、支持強度を有する連接部材が、隣り合うパーツの対向する方位にある嵌合空間に嵌入されることにより、複数のパーツによって、所定された形態のキャビネットが組立てられる、ことを特徴とするシステムキャビネットである。
【０００７】
請求項２の考案は、組立てられたキャビネットの隣り合う二つのパーツにより形成された嵌合空間に嵌設された連接部材の各周辺に形成された内広外狭の凹槽を有する係合主体に、延伸管部材の結合端である内狭外広の嵌設部が嵌設され、該係合主体の各凹槽の一端において、ストッパーが形成されることにより、延伸管部材の方位が制限され、また、延伸管部材の作用側において、組立てられたパーツの貫通穴に対応して、突出部が形成され、該透過係合主体と延伸管部材からなる連接部材により、組立てられたキャビネットの二つのパーツが、安定的に一体に結合されることを特徴とする請求項１に記載のシステムキャビネットである。
【０００８】
請求項３の考案は、組立てられたキャビネットの隣り合う二つのパーツに形成された嵌合空間に嵌設された連接部材の、作用周辺に内広外狭の凹槽が形成された係合主体が、作用側に突出部が形成された延伸管部材と一体成型されることを特徴とする請求項１に記載のシステムキャビネットである。
【０００９】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１０】
図１を参照しながら、本考案は、主として、複数のパーツ１と複数の連接部材４からなる。
【００１１】
複数のパーツ１は、組立てるキャビネットに応じる幅を有して、成形されたパーツで、両側に、嵌合空間１１が形成され、所定の位置に、貫通穴１２が形成される。
【００１２】
図２Aと図２Bを参照しながら、複数の連接部材４は、係合主体２と延伸管部材３を組立てることにより、所定の長さを有するものであり、該係合主体２の各周辺に、結合端が内狭外広である延伸管部材３の嵌設部３１が実装される内広外狭の凹槽２１が形成され、該係合主体２の各凹槽２１の一端に、延伸管部材３を組合わせる時、方位を制限するストッパー２２が、形成され、延伸管部材３の作用側に、パーツ１の貫通穴１２に対応して、突出部３２が形成される。
【００１３】
該連接部材４’の他の実施形態は、作用周辺に内広外狭の凹槽２１が形成された係合主体２と、作用側に突出部３２が形成された延伸管部材３と、を一体成型し、該係合主体２と延伸管部材３とが一体成型された連接部材４’（この連接部材形態は、幅がやや広いキャビネットに対して実行される）は、パーツ１に必要とする支持強度に応じて、該延伸管部材３の結合長さや管部材上に形成された孔３３や突出部３２を形成する。
【００１４】
上記複数のパーツ１と複数の連接部材４とを組立てる場合（図１のように）、必要とする形態である連接部材４の一端にある延伸管部材３を、キャビネットに形成された二つのパーツ１の間にある嵌合空間１１に嵌入し、一緒に嵌合空間１１に嵌入された両パーツ１の延伸管部材３の該突出部３２が、対応する方位の孔１２に嵌入され、該複数の、係合主体２と延伸管部材３からなる連接部材４が、所定幅を有する複数のパーツ１に結合されることにより、方位が制限されたユニットエレメント５が形成される（図３は、やや狭いキャビネットを組立てる状態である）。
【００１５】
該ユニットエレメント５は、数多い空間を拡張必要とするキャビネットを形成するために、（図３と図４のように）使用され、延伸する方位に、延伸管部材３の一端にある嵌設部３１を結合部位にある該連接部材４の対向する一側にある凹槽２１に嵌入すること（図４のように）により、該各延伸管部材３が、隣り合う一側にあるパーツ１に、結合されて、また、方位が制限され、その同時に、該パーツ１の嵌合空間１１に結合された延伸管部材３の該突出部３２が、対向する方位にある孔１２に嵌入され、また、該延伸したパーツ１のもう一端が、隣り合うパーツ１に、連接部材４により、結合されて、一体に組立てられる。
【００１６】
また、幅が比較的に広いキャビネットのユニットエレメント５’を組立てる場合（図５のように）、一体成型された連接部材４’の一端にある延伸管部材３を、対応するキャビネットに結合された二つのパーツ１の対向する方位にある嵌合空間１１に嵌入し、同時に、該二つのパーツ１の嵌合空間１１に結合された延伸管部材３の該突出部３２を、対向する方位にある孔１２に嵌入し、これにより、該複数の一体成型である連接部材４’が、幅広い複数のパーツ１に、結合され、必要とするキャビネットのユニットエレメント５’になる（図６のように）。
【００１７】
該組立てられたユニットエレメント５’は、数多い空間を拡張必要とするキャビネットに利用され（図６と図７のように）、該ユニットエレメント５’は、延伸する方位に、延伸管部材３の一端にある嵌設部３１を結合部位にある該連接部材４’の対向する一側にある凹槽２１に嵌入することにより（図７）、該各延伸管部材３が、隣り合う一側にあるパーツ１に、結合されて、また、方位が制限され、その同時に、該パーツ１の嵌合空間１１に結合された延伸管部材３の該突出部３２が、対向する方位にある孔１２に嵌入され、ため、該延伸したパーツ１のもう一端が、隣り合うパーツ１に、一体成型された連接部材４’により、一体に結合される。
【００１８】
前記組立てられたユニットエレメント５’は、前後側が中空形態になり（図８のように）、また、必要に応じて、該ユニットエレメント５’の裏側に、裏板５１が設置され（図９のように）、該裏板５１の上下端にある突出部５１１、５１２が、ユニットエレメント５’の対向する方位にある孔１２に嵌入されて、方位が制限され（図９Ａのように）、或いは、必要に応じて、該ユニットエレメント５’の正面側に、可動的な前板５２が枢着され（図１０のように）、収納用途に応じて、該ユニットエレメント５’に、引出し５３が設置され（図１２のように）、該引出し５３は、凵形パーツ５３１の前後側に、それぞれ、裏板５３２と正面板５３３が、一体に係合され（図１１のように）、該組立てられた引出し５３が、可動的にユニットエレメント５’に収納される。
【００１９】
前記の、拡張するために、複数の空間を有するユニットエレメント５によっては、用途に応じて、様々の造形を有するキャビネットが組立てられ、例えば、階段形態の収納箪笥１０（図１３のように）やＴ形の収納箪笥２０（図１４のように）、所定形状のない収納箪笥３０（図１５のように）或いはＪ形の収納箪笥４０（図１６のように）であり、また、前記ユニットエレメント５’により、用途に応じて、様々の造形のキャビネットが組立てられ、例えば、階段形態の収納箪笥５０（図１７のように）数層が重ね合われた収納箪笥６０、７０、８０（図１８〜図２０のように）、衣物を収納する衣服箪笥９０（図２１のように）、前後側に、それぞれ、開かれる門板１００１が枢着されて、数層が重ね合われる収納箪笥１００（図２２と図２３のように）、或いは、空間が形成された数層の収納フレーム１１０（図２４のように）である。
【００２０】
上記のキャビネットのパーツによれば、次の利点が得られる。
【００２１】
１、複数のパーツにより、所定形態のキャビネットを組立てる場合、必要とする形式により設計された連接部材により、快速的に且つ簡単的に結合されて、方位が制限され、安定性の優れたキャビネットが組立てられる。
【００２２】
２、キャビネットを廃棄する時、結合方位にある各連接部材を、簡単に取り外すことができ、リサイクルできる。
【００２３】
３、用途に応じて、複数の空間を有する、ユニットエレメントによって組立てられたキャビネットは、造形が、多様化に設計されることができる。
【００２４】
そのため、本考案は、より進歩的かつより実用的で、法に従って実用新案登録請求を出願する。
【００２５】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２６】
【図１】本考案に係るユニットエレメントのパーツの分解立体図
【図２Ａ】本考案に係る連接部材の組立て状態の概念図
【図２Ｂ】本考案に係る連接部材の他の実施形態の概念図
【図３】本考案に係るユニットエレメントの上へ拡張する時の概念図
【図４】本考案に係るユニットエレメントの拡張する時の側面断面図
【図５】本考案の幅が比較的に大きいユニットエレメントのパーツ分解立体図
【図６】本考案の幅が比較的に大きいユニットエレメントの上へ拡張する時の概念図
【図７】本考案の幅が比較的に大きいユニットエレメントの拡張する時の側面断面図
【図８】本考案の幅が比較的に大きいユニットエレメントの前後中空状態の立体図
【図９】本考案の幅が比較的に大きいユニットエレメントの裏側に、裏板が設置された時の立体図
【図９Ａ】本考案の幅が比較的に大きいユニットエレメントの裏板が設置された時の側面の一部断面図
【図１０】本考案の幅が比較的に大きいユニットエレメントの正面側に可動的に前板が枢着される時の立体図
【図１１】本考案の幅が比較的に大きいユニットエレメントの間に引出しが設置される時のパーツ分解立体図
【図１２】本考案の幅が比較的に大きいユニットエレメントの間に引出しが設置される時の概念図
【図１３】本考案に係るユニットエレメントにより組立てられたキャビネットの第一実施形態
【図１４】本考案に係るユニットエレメントにより組立てられたキャビネットの第二実施形態
【図１５】本考案に係るユニットエレメントにより組立てられたキャビネットの第三実施形態
【図１６】本考案に係るユニットエレメントにより組立てられたキャビネットの第四実施形態
【図１７】本考案の幅が比較的に大きいユニットエレメントにより組立てられたキャビネットの他の実施形態
【図１８】本考案の幅が比較的に大きいユニットエレメントにより組立てられたキャビネットの更に他の実施形態
【図１９】本考案の幅が比較的に大きいユニットエレメントにより組立てられたキャビネットの更に他の実施形態
【図２０】本考案の幅が比較的に大きいユニットエレメントにより組立てられたキャビネットの更に他の実施形態
【図２１】本考案の幅が比較的に大きいユニットエレメントにより組立てられたキャビネットの更に他の実施形態
【図２２】本考案の幅が比較的に大きいユニットエレメントにより組立てられたキャビネットの更に他の実施形態
【図２３】本考案の更に他の実施形態のキャビネットの上面概念図
【図２４】図本考案の幅が比較的に大きいユニットエレメントにより組立てられたキャビネットの更に他の実施形態
【符号の説明】
【００２７】
１     
パーツ
１０、２０、３０、４０、５０、６０、７０、８０、１００  収納箪笥
１００１ 門板
１１     嵌合空間
１１０   収納フレーム
１２、３３ 孔
２      係合主体
２１    凹槽
２２    制限ブロック
３      延伸管部材
３１    嵌設部
３２    突出部
４、４’連接部材
５、５’ユニットエレメント
５１    裏板
５１１、５１２  突出部
５２    前板
５３    引出し
５３１  凵形パーツ
５３２  裏板
５３３  正面板
９０    衣服箪笥
【図１】
0003156370.tif 000003
【図２Ａ】
0003156370.tif 000004
【図２Ｂ】
0003156370.tif 000005
【図３】
0003156370.tif 000006
【図４】
0003156370.tif 000007
【図５】
0003156370.tif 000008
【図６】
0003156370.tif 000009
【図７】
0003156370.tif 000010
【図８】
0003156370.tif 000011
【図９】
0003156370.tif 000012
【図９Ａ】
0003156370.tif 000013
【図１０】
0003156370.tif 000014
【図１１】
0003156370.tif 000015
【図１２】
0003156370.tif 000016
【図１３】
0003156370.tif 000017
【図１４】
0003156370.tif 000018
【図１５】
0003156370.tif 000019
【図１６】
0003156370.tif 000020
【図１７】
0003156370.tif 000021
【図１８】
0003156370.tif 000022
【図１９】
0003156370.tif 000023
【図２０】
0003156370.tif 000024
【図２１】
0003156370.tif 000025
【図２２】
0003156370.tif 000026
【図２３】
0003156370.tif 000027
【図２４】
0003156370.tif 000028